(57)【要約】【課題】  互いに対向した光源をもつ面状発光体であって発光ムラを生じることなく発光することができる面状発光体を提供すること。【解決手段】  本発明の面状発光体１は、表面部２と、導光板３と、第一の光源部４と、第二の光源部５と、基材６と、を有する面状発光体であって、第二の光源部５が、第一の光源部４から発せられた光の光軸４Ａより裏面側に位置しかつ、第一の光源部４が、その裏面側を第二の光源部５から発せられた光が通過可能な状態で保持され、第二の光源部５から発せられ第一の光源部４の裏面側を通過した光を表面方向に反射する反射層６を有することを特徴とする。本発明の面状発光体は、光源部の後方においても発光ムラが生じない十分な発光量が得られる。【選択図】  図２
2005332692.tif 000002
【特許請求の範囲】
【請求項１】
光を透過する透過部と、光が透過しない非透過部と、を有する表面部と、
該表面部の裏面側に配設された光を透過する板状の導光板と、
該導光板の裏面側に配設され、該導光板の広がる方向に対して略平行な光軸をもつ光を発する第一の光源部と、
該導光板の裏面側に配設され、該導光板の広がる方向および該第一の光源部から発せられた光の光軸と略平行な光軸をもつ光を発する第二の光源部と、
該表面部、該導光板および該第一の光源部および該第二の光源部を一体に保持・固定する基材と、
を有する面状発光体であって、
該第二の光源部が、該第一の光源部から発せられた光の光軸より裏面側に位置しかつ、該第一の光源部が、その裏面側を該第二の光源部から発せられた光が通過可能な状態で保持され、
該第二の光源部から発せられ該第一の光源部の裏面側を通過した光を表面方向に反射する反射層を有することを特徴とする面状発光体。
【請求項２】
前記導光板は、前記各光源部から発せられる光の光軸の通路に対応した位置が欠損している請求項１記載の面状発光体。
【請求項３】
前記導光板の前記各光源部から発せられる光の光軸の通路に対応した位置が欠損した部分の側面は、該導光板ののびる方向に対して傾斜して形成されている請求項２記載の面状発光体。
【請求項４】
前記表面部は、前記各光源部から発せられる光の光軸の通路に対応した位置が前記非透過部となっている請求項１記載の面状発光体。
【請求項５】
前記非透過部は、前記導光板方向に光を反射する表面反射層を有する請求項１記載の面状発光体。
【請求項６】
前記導光板は前記表面部と間隔を隔てて保持されている請求項１記載の面状発光体。
【発明の詳細な説明】
【技術分野】
【０００１】
本発明は、面状発光体に関し、詳しくは、所望の文字や図形などの意匠形状を表示することができる面状発光体に関する。
【背景技術】
【０００２】
車両には、エンブレムやネームプレートなどのさまざまなオーナメントが付与されている。近年は、車両の見栄えを向上させるために、オーナメント自身を発光させている。
【０００３】
発光するオーナメントは、たとえば、特許文献１に開示されている。特許文献１には、板状の導光体の片側に、発光面、およびＬＥＤ光源とＬＥＤ光源に電力を供給する配線を収納する溝部を有し、この溝部にＬＥＤ光源および配線を配設してなる照明装置が開示されている。この照明装置は、導光体の発光面の背向した両側面のそれぞれにＬＥＤ光源からの光を照射して発光させる。
【０００４】
しかしながら、特許文献１に記載の照明装置は、一方のＬＥＤ光源から照射された光が他方のＬＥＤ光源の後方に当たらず、この他方のＬＥＤ光源の後方が十分に発光しないという問題が発生していた。具体的には、ＬＥＤ光源から発せられる光が指向性を有する光であり、一方のＬＥＤ光源から照射された光が他方のＬＥＤ光源に当たると、他方のＬＥＤ光源の後方に光が到達しなくなる。この結果、特許文献１に記載の照明装置は、発光面において発光ムラが発生していた。
【０００５】
このような照明装置を車両のエンブレムに適用すると、エンブレムの外周形状によっては、エンブレムの全面での発光が困難となっていた。具体的には、照明装置の外周をエンブレムの外周と一致させると、照明装置の外周よりも発光面が小さいため、発光時にエンブレムが発光しない部分が発生することとなる。この不具合を解消するために、照明装置の発光面がエンブレムの発光面より大きくなるようにすると、照明装置の体格がエンブレムより過剰に大きくなり、照明装置の発光面において発光した光の多大なロスが生じるだけでなく車両の外観を損ねるという問題が発生していた。
【特許文献１】特開２００２−９６６８０号公報
【発明の開示】
【発明が解決しようとする課題】
【０００６】
本発明は上記実状に鑑みてなされたものであり、互いに対向した光源をもつ面状発光体であって発光ムラを生じることなく発光することができる面状発光体を提供することを課題とする。
【課題を解決するための手段】
【０００７】
上記課題を解決するために本発明者は面状発光体について検討を重ねた結果、一方の光源から発せられた光が他方の光源の裏面側を通過した後に表面方向に反射される面状発光体とすることで上記課題を解決できることを見出した。
【０００８】
すなわち、本発明の面状発光体は、光を透過する透過部と、光が透過しない非透過部と、を有する表面部と、表面部の裏面側に配設された光を透過する板状の導光板と、導光板の裏面側に配設され、導光板の広がる方向に対して略平行な光軸をもつ光を発する第一の光源部と、導光板の裏面側に配設され、導光板の広がる方向および第一の光源部から発せられた光の光軸と略平行な光軸をもつ光を発する第二の光源部と、表面部、導光板および第一の光源部および第二の光源部を一体に保持・固定する基材と、を有する面状発光体であって、第二の光源部が、第一の光源部から発せられた光の光軸より裏面側に位置しかつ、第一の光源部が、その裏面側を第二の光源部から発せられた光が通過可能な状態で保持され、第二の光源部から発せられ第一の光源部の裏面側を通過した光を表面方向に反射する反射層を有することを特徴とする。
【発明の効果】
【０００９】
本発明の面状発光体は、対向した位置に配された二つの光源部と、第一の光源部の裏面側を通過した光を反射する反射層と、を有する。すなわち、第一の光源部から発せられた光は、第二の光源部の表面側を通過して第二の光源部の後方に到達する。第二の光源部の後方に到達した光は、自身の散乱性により導光板に導光板に照射される。また、第二の光源部から発せられた光は、第一の光源部の裏面側を通過して第一の光源部の後方に到達する。第一の光源部の後方に到達した光は、反射層により表面方向に反射され導光板に照射される。この結果、本発明の面状発光体は、光源部の後方においても発光ムラが生じない十分な発光量が得られる。
【発明を実施するための最良の形態】
【００１０】
本発明の面状発光体は、表面部と、導光板と、二つの光源部と、基材と、を有する。
【００１１】
表面部は、本発明の面状発光体の前表面を形成し、光を透過する透過部と、光が透過しない非透過部と、を有する部材である。表面部が透過部と非透過部とを有することで、透過部のみに光が透過することとなる。表面部は、本発明の面状発光体の意匠を形成する部材であり、透過部と非透過部との形状により意匠面が形成される。
【００１２】
導光板は、表面部の裏面側に配設された光を透過する板状の部材である。また、導光板は、光源部から発せられた光の進行方向を表面方向に変化させる（屈折させる）。導光板に照射された光は、導光板を透過するとともに進行方向が変化し、導光板の表面から前方に照射され、その光が表面部を介してから面状発光体の外部に出る。これにより、本発明の面状発光体は、外部に光が照射される。導光板は、従来の面状発光体において導光板に用いられている材質により形成できる。たとえば、ガラス、アクリル樹脂、ポリカーボネート（ＰＣ）等をあげることができる。
【００１３】
二つの光源部は、導光板の裏面側にもうけられ、導光板に照射される光を発する部材である。二つの光源部を有することで本発明の面状発光体が発光できる。二つの光源部は、導光板の裏面側に配設され、導光板の広がる方向に対して略平行な光軸をもつ光を発する第一の光源部と、導光板の裏面側に配設され、導光板の広がる方向および第一の光源部から発せられた光の光軸と略平行な光軸をもつ光を発する第二の光源部と、からなる。また、二つの光源部は、それぞれ表面部の非透過部に対応した位置にもうけられることが好ましい。光源部が非透過部に対応した位置に設けられることで、光源部から発せられた光が直接表面部を透過しなくなる。また、光源部からの直接光が表面部の透過部に当たらなくなり、表面部の透過部を透過する光にムラが生じなくなる。さらに、二つの光源部が外部から視認できなくなり、本発明の面状発光体の見栄えが向上する。
【００１４】
二つの光源部は、それぞれ、導光板の裏面側に配設され、導光板の広がる方向に対して略平行な光軸をもつ。それぞれの光源部から発せられた光は、その光軸にそって進むうちに散乱を生じ、一部が表面方向に向かう。そして、導光板を透過して表面方向に進み、本発明の面状発光体を発光させる。
【００１５】
基材は、導光板、表面部および二つの光源部を一体に保持・固定する。基材が導光板、表面部および光源部を一体に保持・固定することで、それぞれの部材がずれなくなり、それぞれの光源部から発せられた光が所望の位置に当たるようになり、発光ムラが生じなくなる。
【００１６】
本発明の面状発光体は、第二の光源部が、第一の光源部から発せられた光の光軸より裏面側に位置しかつ、第一の光源部が、その裏面側を第二の光源部から発せられた光が通過可能な状態で保持される。すなわち、導光板の裏面からの第二の光源部までの距離が、導光板の裏面からの第一の光源部までの距離より長くなるように、第二の光源部が配設されている。そして、第一の光源部から発せられた光は、第二の光源部の表面側（第二の光源部と導光板との間）を通過して第二の光源部の後方に到達する。第二の光源部の後方に到達した光は、自身の散乱性により導光板に導光板に照射される。また、第二の光源部から発せられた光は、第一の光源部の裏面側を通過して第一の光源部の後方に到達する。
【００１７】
本発明の面状発光体は、第二の光源部から発せられ第一の光源部の裏面側を通過した光を表面方向に反射する反射層を有する。反射層を有することで、第一の光源部の裏面側を通過して第一の光源部の後方に到達した光が表面方向に反射され、導光板に照射されるようになる。この結果、本発明の面状発光体は、二つの光源部のそれぞれの後方においても発光ムラが生じない十分な発光量が得られる。
【００１８】
導光板は、各光源部から発せられる光の光軸の通路に対応した位置が欠損していることが好ましい。導光板が欠損部を有することで、この欠損部の側壁面に各光源部から発せられた光が照射される。そして、照射された光が導光板の内部を進むとともにその進行方向が変化して導光板の表面から放射され、導光板自身が発光するようになる。導光板が発光することで、発光ムラが抑えられる。
【００１９】
導光板の各光源部から発せられる光の光軸の通路に対応した位置が欠損した欠損部の側面は、導光板ののびる（広がる）方向に対して傾斜して形成されていることが好ましい。導光板の欠損部の側壁面が傾斜することで、この側壁面により多くの光が当たることとなり、導光板に照射される光が増加する。この結果、導光板の発光量（光の強度や輝度）が増加し、本発明の面状発光体の意匠性が向上する。なお、欠損部の側壁面の傾斜は、側壁面が各光源部から発せられる光の光軸に対向する方向への傾斜であり、この側壁面が少なくとも裏面方向に対向する傾斜である。
【００２０】
また、欠損部の側壁面が傾斜することで、導光板と表面部とが間隔を隔てているときに、欠損部を通過した光が導光板の表面側で散乱を生じても、表面部の透過部に照射されなくなる。これにより、発光ムラの発生が抑えられる。
【００２１】
表面部は、各光源部から発せられる光の光軸の通路に対応した位置（欠損部に対応した位置）が非透過部となっていることが好ましい。光源部から発せられた光は、導光板を透過した光より強い強度を有しており、この光が直接表面部を透過すると導光板を透過して表面部を透過した光より強く発光する。これにより、発光ムラが生じる。表面部の欠損部に対応した位置が非透過部となることで、二つの光源部から発せられた光が直接表面部を透過しなくなる。これにより発光ムラの発生が抑えられる。また、光源部からの直接光が表面部に当たらないことで、表面部の透過部を透過する光にムラが生じなくなる。さらに、光源部が外部から視認できなくなり、本発明の面状発光体の見栄えが向上する。
【００２２】
導光板は表面部と間隔を隔てて保持されていることが好ましい。導光板と表面部とが間隔を隔てることで、本発明の面状発光体により示される意匠が、立体感をもつようになる。特に、本発明の面状発光体が発光していないときに、表面部の透過部から導光板を見たときの見栄えが向上する。
【００２３】
非透過部は、導光板方向に光を反射する表面反射層を有することが好ましい。表面反射層を有することで、表面部の非透過部に当たる光が再び導光板に照射されるようになる。また、非透過部が光を反射することで、非透過部をより光が透過しなくなり、発光したときに透過部と非透過部との明暗の差が大きくなる。すなわち、非透過部と透過部とにより形成された意匠の表示の効果が増加する。表面反射層は、表面部の裏面に一体に形成されたことが好ましい。
【００２４】
導光板は、その側面に光を反射する側面反射層を有することが好ましい。側面反射層を有することで、導光板を透過して側面から外部を照射しようとする光が側面反射部により再度導光板の内部に反射される。そして、ふたたび導光板の内部を光が進み、発光面部で発光する。これにより、導光板の内部を進む光の光量が増加し、発光面部における発光量が増加する。また、さまざまな方向から発光面部に光が透過することとなり、発光ムラが生じなくなる。側面反射層は、導光板と一体に形成されていても別体であっても特に限定されるものではない。
【００２５】
導光板の裏面には、導光板に光を反射する裏面反射層を有することが好ましい。導光板の裏面に裏面反射層を有することで、導光板の裏面方向に進んだ光が再び導光板に照射されるようになる。また、本発明の面状発光体が発光していないときに、表面部の透過部から導光板を見たときの見栄えが向上する。裏面反射層は、導光板と一体に形成されていても別体であっても特に限定されるものではない。
【００２６】
導光板は、その表面が粗く形成されたことが好ましい。導光板の表面が粗く形成されることで導光板の表面における発光量が増加する。具体的には、本発明の面状発光体においては導光板の欠損部の側壁面に光が照射され、この光が導光板を発光させる。導光板の発光は、導光板の内部を進む光が導光板の界面において表面方向にその進む方向を変化させられることによる。導光板の表面が粗く形成されることで、導光板の表面が粗く形成されることで、この界面量が増加し、導光板の発光量が増加する。なお、導光板の粗く形成された表面とは、導光板の表面が平面となっていない状態であればよい。導光板の粗く形成された表面は、たとえば、その表面に多数の凹凸を形成したり、その表面に多数の溝条を形成したり、することにより得られる。
【００２７】
導光板は、その表面に多数の溝条を有することが好ましい。導光板の表面に多数の溝条を形成することで、溝条ののびる方向にそって発光する。溝条の長さ方向において発光量にムラが生じたとしても、溝条にそって発光するため、その発光量の変化がなめらかとなり発光ムラが視認されにくくなる。この結果、本発明の面状発光体は、視認性にすぐれた面状発光体となる。
【００２８】
導光板の表面に形成された多数の溝条は、各光源から発せられる光の光軸に対して交差する方向にのびることが好ましい。溝条が光源から発せられた光の光軸に対して交差する方向にのびることで、光源からの距離が異なることにより各溝条に到達する光の量が変化しても、隣接する溝条どうしにおける光の量の変化量が小さくなり、その変化が視認されなくなる。すなわち、導光板全体における発光ムラが視認されなくなる。この結果、本発明の面状発光体は、視認性にすぐれた面状発光体となる。
【００２９】
本発明の面状発光体において、二つの光源部のそれぞれは、光を発することができるものであれば特に限定されるものではない。たとえば、電球、発光ダイオード（ＬＥＤ）等をあげることができる。光源部には、ＬＥＤを用いることがより好ましい。
【実施例】
【００３０】
以下、実施例を用いて本発明を説明する。
【００３１】
本発明の面状発光体の実施例としてオーナメントを作製した。
【００３２】
（実施例）
本実施例のオーナメント１は、一方の側方側の端部が尖った略弾丸形状の発光部を有する。本実施例のオーナメント１を、図１〜３に示した。図１は本実施例のオーナメント１の正面図であり、図２は図１のＩ−Ｉ線における断面図であり、図３は図１のＩＩ−ＩＩ線における断面図である。
【００３３】
本実施例のオーナメント１は、表面部２と、導光板３と、第一の光源部４と、第二の光源部５と、反射部６と、ケース７と、を有する。
【００３４】
表面部２は、オーナメント１の発光部の表面を形成するとともにオーナメント１の意匠面を形成する部材である。表面部２は、中央部が表面方向に突出した湾曲形状であり、外周形状が略楕円形状をもつ略ドーム状に形成されている。表面部２は、光を透過させることができる透明なアクリル樹脂よりなる。図１のＩ−Ｉ線における表面部２の断面を図４に示した。
【００３５】
表面部２は、光を透過させる透過部２Ａと、光を透過させない非透過部２Ｂとが形成されている。非透過部２Ｂは、光を透過させない塗料が表面部２の表面２ａに塗布されたことで形成された。すなわち、表面部２の表面２ａの塗料が塗布されていない部分は、アクリル樹脂が露出しており、光を透過することができる。表面部２の表面２ａに塗布された塗料により意匠模様が形成されている。また、表面部２においては、透過部２Ａの厚さが非透過部２Ｂの厚さより厚くなるように形成されている。
【００３６】
また、表面部２の裏面２ｂの非透過部２Ｂに対応した位置には、光を反射する表面反射層２１が蒸着により形成されている。
【００３７】
表面部２は、一方の側方側の端部が尖った略弾丸形状を有し、他方の側方側から一方の側方側に向かって、略棒状の非透過部２Ｂがもうけられている。すなわち、表面部２は、略＜字状の透過部２Ａと、略＜字状の開放端側から先端方向に向かってのびる略棒状の非透過部２Ｂとが形成されている。
【００３８】
導光板３は、表面部２の透過部２Ａに対応した形状に形成されている。すなわち、導光板３は、内部が溝状に欠損した略＜字状に形成されている。そして、導光板３の表面には、略＜字状の欠損部３０ののびる方向に垂直な方向にのびる溝条が平行に形成されている。導光板３の上面図を図５に、図５のＩＩＩ−ＩＩＩ線における導光板３の断面を図６に示した。
【００３９】
導光板３の略棒状の欠損部３０を区画する端部３３は、導光板３の表面から突出している。また、この端部３０は、欠損部３０を区画する側壁面３３ａが導光板３の裏面３ｂに対して傾斜した状態でありかつオーナメント１において第一の光源部４が発した光の光軸４Ａおよび第二の光源部５が発した光の光軸５Ａに対して対向するように傾斜している。なお、この端部３３の表面側の先端は、オーナメント１を組み付けたときに、表面部２の裏面２ｂに当接しないように形成されている。
【００４０】
導光板３の裏面３ｂには、光を反射する裏面反射層３１が蒸着により形成されている。また、導光板３の外周面を区画する側面３ｅにも、光を反射する側面反射層３２が蒸着により形成されている。
【００４１】
第一の光源部４は、導光板３の裏面３ｂ側であって、略＜字状の導光板３の開放端からわずかに導光板３の略＜字状の先端側に位置した場所に配設されている。第一の光源部４は、その光軸４Ａが略棒状の欠損部３０ののびる方向に平行な方向であって、略＜字状の先端を向くように組み付けられた発光ダイオード４０を有する。
【００４２】
第二の光源部５は、導光板３の裏面側であって、導光板３の欠損部３０の先端からわずかに導光板３の略＜字状の先端側に位置した場所に配設されている。第二の光源部５は、その光軸５Ａが略棒状の欠損部３０ののびる方向に平行な方向であって、略＜字状の開口端側を向くように組み付けられた発光ダイオード５０を有する。
【００４３】
第二の光源部５は、導光板３の裏面ｌから小間隔を隔てた状態で組み付けられている。第二の光源部５と導光板３の間に第一の光源部４が発する光の光軸４Ａが位置し、第一の光源部４の裏面側に第二の光源部５が発する光の光軸５Ａが位置する。
【００４４】
なお、本実施例において、第一の光源部４および第二の光源部５は、光を発する発光ダイオード４０，５０がオーナメント１の外部にもうけられた電源（図示せず）と導線により電気的に接続され、電源から供給された電力により発光する。発光ダイオード４０，５０が発した光は、導光板３の略棒状の欠損部３０ののびる方向にそってすすむ。
【００４５】
反射部６は、第二の光源部５が発する光を表面方向に反射する部材である。反射部６は、ケース７に蒸着された蒸着膜よりなる。反射部６は、第一の光源部４の後方であって、導光板３の欠損部３０の開口端側に配設されている。反射部６は、錘台形の外周形状の一部と一致した状態でもうけられている。
【００４６】
ケース７は、断面凹字状の保持部７０を有し、この保持部７０の内部に導光板３、第一の光源部４、第二の光源部５、および反射部６を保持する。保持部７０には、複数の保持孔７１が開口し、この保持孔７１を用いて第一の光源部４および第二の光源部５が固定される。また、保持孔７０の底面に開口した導通孔７２内に第一の光源部４および第二の光源部５に電力を供給する導線が配設される。また、保持部７０の開口部に表面部２が気密的に接合され固定される。ケース７の上面図を図７に、図７のＩＶ−ＩＶ線におけるケース７の断面を図８に示した。
【００４７】
以下、本実施例のオーナメント１の発光時の説明を行う。
【００４８】
まず、本実施例のオーナメント１は、第一の光源部４および第二の光源部５の発光ダイオードに通電すると、発光ダイオード４０，５０が発光する。発光ダイオード４０，５０を発した光は、光軸４Ａ，５Ａ方向に進む光を発する。それぞれの発光ダイオード４０，５０から発せられた光は、光自身の散乱性により一部の成分が表面方向に向かう。そして、導光板３の裏面３ｂおよび欠損部３０を区画する側壁面３３ａに照射される。そして、導光板３の欠損部３０を区画する側壁面３３ａに照射された光は、導光板３の内部に侵入しこの内部を進む。ここで、導光板３の裏面には、裏面反射層３１が形成されており、導光板３の裏面３ｂから導光板３の内部に光が透過しない。
【００４９】
また、本実施例のオーナメント１は、欠損部３０を区画するとともに表面方向に突出した端部３３の先端部と表面部２の裏面２ｂとの間にすき間が存在している。このため、導光板３の欠損部３０を通過した光（導光板３を透過しない光）は、表面部２の欠損部３０に対応した位置の裏面２ｂにもうけられた表面反射層２１により反射され、導光板３の表面を照射することとなる。端部３３の先端部と表面部２の裏面２ｂとの間にすき間が存在していることから、表面反射層２１に反射された光は、このすき間を通って導光板３の表面を照射する。
【００５０】
第一の光源部４の発光ダイオードを発せられた光は、導光板３の裏面３ｂにそって進み、第二の光源部５と導光板３の裏面３ｂとの間を通り、第二の光源部５の後方（導光板３の略＜字状の先端）に到達する。すなわち、第二の光源部５の後方（導光板３の略＜字状の先端）を第一の光源部４が照射する。そして、第二の光源部５の後方（導光板３の略＜字状の先端）を照射した光は、自身の散乱性により導光板３を照射し、導光板３の内部を進むようになる。
【００５１】
また、第二の光源部５の発光ダイオードが発した光は、第一の光源部４方向に向かって進み、第一の光源部４の裏面側を通過して反射部６に到達する。そして、反射部６において、表面方向にその進行方向が変えられる。そして、第二の光源部５の発光ダイオードが発した光は、第一の光源部４の後方側（導光板３の略＜字状の開口端側）を照射し、導光板３を照射し、導光板３の内部を進むようになる。
【００５２】
導光板３の内部を進む光は、導光板３の表面の多数の溝状にそって進むとともに、溝状の側壁面においてその進行方向が表面方向に変化させられる。そして、導光板３の外部に出る。このとき、導光板３を形成するアクリル樹脂と外部の空気との屈折率の差および側壁面の傾斜により、側壁面を透過した光は、オーナメント１の表面方向に進行するようになっている。
【００５３】
そして、導光板３を透過した光は、表面部２の裏面２ｂに照射され、透過部２Ａを透過する。このとき、表面部２の裏面２ｂに照射された光のうち、非透過部２Ｂに対応した部分に照射された光は、表面反射層２１により反射され、導光板３の表面を照射することとなる。
【００５４】
導光板３の内部を進む光のうち、導光板３の内部で散乱して裏面方向に進んだ光は、導光板３の裏面３ｂにおいて裏面反射層３１により反射され、導光板３の表面方向に向かって進むようになる。
【００５５】
導光板３の内部を進む光のうち、導光板３の内部で散乱して表面方向に進んだ光は、導光板３の表面から透過し、表面部２の裏面２ｂに照射され、透過部２Ａを透過する。このとき、表面部２の裏面２ｂに照射された光のうち、非透過部２Ｂに対応した部分に照射された光は、表面反射層２１により反射され、導光板３の表面を照射することとなる。
【００５６】
また、導光板３の内部を進み、導光板３の側面３ｅに到達した光は、側面反射層３２  により反射され、再び導光板３の内部を進む。
【００５７】
さらに、導光板３の欠損部３０を通過した光は、表面部２の欠損部３０に対応した位置の裏面２ｂにもうけられた表面反射層２１により反射され、導光板３の表面を照射することとなる。
【００５８】
上述したように、本実施例のオーナメント１において、第一の光源部４および第二の光源部５の発光ダイオードから発せられた光により、導光板３の表面が全面にわたって発光する。
【００５９】
本実施例のオーナメント１は、導光板３の表面の多数の溝条の側壁面を透過した光が透過部２Ａからオーナメント１の外部に出ている。すなわち、溝条の側壁面が発光する。本実施例のオーナメント１は、導光板３の表面に全面にわたって溝条が形成されており、導光板３の表面が全面にわたって発光する。導光板３の表面が全面にわたって発光するため、透過部２Ａを透過する光の量が多くなっている。加えて、表面部２の透過部２Ａを形成した部分は、アクリル樹脂の厚さが厚く、かつ透過部２Ａの周縁部がテーパ形状に形成されている。すなわち、透過部２Ａ自身が凸レンズ状の断面を有する。この形状の作用により透過部２Ａを透過する光が集められ、より強い光として視認される。
【００６０】
さらに、本実施例のオーナメント１は、導光板３と表面部２との間にすき間が存在していることで、意匠が立体感を有するようになっている。すなわち、見栄えが向上している。
【００６１】
本実施例のオーナメント１は、発光ダイオード４０，４０が発光していない状態でも、太陽光等の外部からの光が透過部２Ａおよび導光板３を透過し、裏面反射層３１により反射される。裏面反射層３１により反射された光は、再度、導光板３および透過部２Ａを透過する。すなわち、本実施例のオーナメント１は、導光板３が裏面反射層３１を有することで、発光していないときの見栄えも向上している。
【００６２】
加えて、本実施例のオーナメント１は、ケース５に発光に要する部材が収納された構成を有しており、コンパクトな構造となっている。すなわち、本実施例のオーナメント１は、全体の外観が向上している。
【図面の簡単な説明】
【００６３】
【図１】実施例のオーナメントの正面図である。
【図２】実施例のオーナメントの分解図である。
【図３】実施例のオーナメントの断面図である。
【図４】実施例のオーナメントの表面部の断面図である。
【図５】実施例のオーナメントの導光板の正面図である。
【図６】実施例のオーナメントの導光板の断面図である。
【図７】実施例のオーナメントのケースの正面図である。
【図８】実施例のオーナメントのケースの断面図である。
【符号の説明】
【００６４】
１…オーナメント
２…表面部                  ２１…表面反射層
２Ａ…透過部                ２Ｂ…非透過部
３…導光板                  ３０…凹部
３１…裏面反射層            ３２…側面反射層
４…第一の光源部            ４０…発光ダイオード
５…第二の光源部            ５０…発光ダイオード
６…反射部
７…ケース                  ７０…保持部
７１…保持孔                ７２…導通孔
【図１】
2005332692.tif 000003
【図２】
2005332692.tif 000004
【図３】
2005332692.tif 000005
【図４】
2005332692.tif 000006
【図５】
2005332692.tif 000007
【図６】
2005332692.tif 000008
【図７】
2005332692.tif 000009
【図８】
2005332692.tif 000010